【手続補正書】
【提出日】平成16年10月25日(2004.10.25)
【手続補正１】
【補正対象書類名】特許請求の範囲
【補正対象項目名】全文
【補正方法】変更
【補正の内容】
【特許請求の範囲】
【請求項１】
磁気ディスク・ドライブ・システムと共に動作するように構成されたサーボ回路（３２５）の動作方法であって、
サーボデータを含むサンプルを受け取るステップと、
前記サンプルと複数のサーボコードとの第１の比較を実行するステップと、
該第１の比較に基づいて複数のサーボコードのうちの第１のサーボコードを選択し、複数のサーボコードの第１のサーボコードを選択された第１のコードとして表示するステップと、を含み、
該方法は、
前記サンプルの第１の偏移されたバージョンと複数のサーボコードとの第２の比較を実行するステップと、
該第２の比較に基づいて複数のサーボコードのうちの第２のサーボコードを選択し、複数のサーボコードのうちの第２のサーボコードを選択された第２のコードとして表示するステップと、
選択されたコードの第３の比較を実行するステップと、
該第３の比較に基づいて選択されたコードの１つを選択し、該選択されたコードの１つはサーボデータを表すステップと、
を特徴とする方法。
【請求項２】
前記サンプルを１ビットだけ偏移させて、サンプルの第１偏移バージョンを作成するステップをさらに含む請求項１に記載の方法。
【請求項３】
整合フィルタシステム（５１１）を用いて第１の比較を実行して、複数の重み付き値（５３９）を作成するステップと、
該複数の重み付き値に基づいて複数のサーボコードのうちの第１のサーボコードを選択するステップと、
をさらに含む請求項１に記載の方法。
【請求項４】
前記サンプルを１ビットだけ遅延させて、サンプルの第１の偏移バージョンを作成するステップと、
整合フィルタシステム（５１２）を用いて第２の比較を実行して、複数の重み付き値（５４０）を作成するステップと、
該複数の重み付き値に基づいて複数のサーボコードのうちの第２のサーボコードを選択するステップと、
をさらに含む請求項１に記載の方法。
【請求項５】
前記第３の比較は、選択されたコードに関連する重み付き値（５３９〜５４０）を比較するステップを含む請求項１に記載の方法。
【請求項６】
前記複数のサーボコードは誤り訂正グレーコード（ＥＣＧＣ）からなる請求項１に記載の方法。
【請求項７】
前記第１の比較と前記第２の比較を実行する前に一対のサンプルを追加するステップをさらに含む請求項１に記載の方法。
【請求項８】
前記サンプルの第２の偏移バージョンと複数のサーボコードとの第４の比較を実行するステップと、
該第４の比較に基づいて複数のサーボコードのうちの第３のサーボコードを選択し、複数のサーボコードのうちの第３のサーボコードを選択された第３のコードとして表示するステップと、
をさらに含む請求項１に記載の方法。
【請求項９】
前記サンプルを２ビットだけ偏移させてサンプルの第２の偏移バージョンを作成するステップをさらに含む請求項８に記載の方法。
【請求項１０】
前記サンプルを２ビットだけ遅延させてサンプルの第２の偏移バージョンを作成するステップと、
整合フィルタシステム（５１３）を用いて第４の比較を実行して、複数の重み付き値（５４１）を作成するステップと、
該複数の重み付き値に基づいて複数のサーボコードのうちの第３のサーボコードを選択するステップと、
をさらに含む請求項８に記載の方法。
【請求項１１】
磁気ディスク・ドライブ・システムと共に動作するように構成されたサーボ回路（３２５）であって、
サーボデータを含むサンプル（３３７）を受け取り、サンプルと複数のサーボコードとの第１の比較を実行し、該第１の比較に基づいて複数のサーボコードのうちの第１のサーボコードを選択し、複数のサーボコードのうちの第１のサーボコードを選択された第１のコードとして表示し、選択された第１のコードを転送するように構成された第１サーボ検出器システム（４０１）を含み、
該サーボ回路は、
前記サンプルを受け取り、前記サンプルの第１の偏移バージョンと複数のサーボコードとの第２の比較を実行し、該第２の比較に基づいて複数のサーボコードのうちの第２のサーボコードを選択し、複数のサーボコードのうちの第２のサーボコードを選択された第２のコードとして表示し、選択された第２のコードを転送するように構成された第２サーボ検出器システム（４０２）と、
第１サーボ検出器システムと第２サーボ検出器システムとに結合され、かつ選択された第１のコードおよび選択された第２のコードを受け取り、選択されたコードの第３の比較を実行し、第３の比較に基づいて選択されたコードのうちサーボデータを表すコード（３５９）を選択するように構成された第１比較器（４１６）と、を特徴とするサーボ回路。
【請求項１２】
前記第２サーボ検出器システム（４０２）はさらに、前記サンプル（３３７）を１ビットだけ偏移させて、前記サンプルの第１偏移バージョンを生成するように構成された請求項１１に記載のサーボ回路（３２５）。
【請求項１３】
前記第１サーボ検出器システム（４０１）が、
前記サンプル（３３７）を受け取り、第１の比較を実行して複数の重み付き値（５３９）を作成し、複数の重み付き値を転送するように構成された整合フィルタシステム（５１１）と、
該整合フィルタシステムと前記第１比較器（４１６）とに結合され、前記複数の重み付き値を受け取り、該複数の重み付き値に基づいて複数のサーボコードのうちの第１のサーボコードを選択し、複数のサーボコードのうちの第１のサーボコードを選択された第１のコード（５３１）として表示し、該選択された第１のコードを前記第１比較器に転送するように構成された第２比較器（５１４）と、を含む請求項１１に記載のサーボ回路（３２５）。
【請求項１４】
前記第２サーボ検出器システム（４０２）が、
前記サンプル（３３７）を受け取り、該サンプルを１ビットだけ遅延させて前記サンプルの第１の偏移バージョンを作成し、第１の偏移バージョン（５４３）を転送するように構成された遅延回路（５１８）と、
該遅延回路に結合され、前記第１偏移バージョンを受け取り、第２の比較を実行して複数の重み付き値（５４０）を作成し、複数の重み付き値を転送するように構成された整合フィルタシステム（５１２）と、
該整合フィルタシステムと前記第１比較器（４１６）とに結合され、前記複数の重み付き値を受け取り、該複数の重み付き値に基づいて複数のサーボコードのうち第２のサーボコードを選択し、複数のサーボコードのうち第２のサーボコードを選択された第２のコード（５３２）として表示し、該選択された第２のコードを前記第１比較器に転送するように構成された第３比較器（５１５）とを含む、請求項１１に記載のサーボ回路（３２５）。
【請求項１５】
前記第１比較器（４１６）がさらに、前記選択されたコード（５３１〜５３２）に関連する重み付き値（５３４〜５３５）を比較することによって第３の比較を実行するように構成された請求項１１に記載のサーボ回路（３２５）。
【請求項１６】
前記複数のサーボコードは誤り訂正グレーコード（ＥＣＧＣ）を含む請求項１１に記載のサーボ回路（３２５）。
【請求項１７】
前記第１サーボ検出器システム（４０１）と前記第２サーボ検出器システム（４０２）とに結合され、一対のサンプル（３３７）を追加して追加サンプル（７３５）を作成し、該追加サンプルを前記第１サーボ検出器システムと前記第２サーボ検出器システムとに転送するように構成された追加システム（７０７）をさらに含む請求項１１に記載のサーボ回路（３２５）。
【請求項１８】
前記第１比較器（４１６）に結合され、前記サンプル（３３７）を受け取り、該サンプルの第２偏移バージョンと前記複数のサーボコードとの第４の比較を実行し、該第４の比較に基づいて前記複数のサーボコードのうちの第３のサーボコードを選択し、前記複数のサーボコードのうちの第３のサーボコードを選択された第３のコード（５３３）として表示し、前記選択された第３のコードを前記第１比較器に転送するように構成された第３サーボ検出器システム（４０３）をさらに含む請求項１１に記載のサーボ回路（３２５）。
【請求項１９】
前記第３サーボ検出器システム（４０３）はさらに、前記サンプル（３３７）を２ビットだけ偏移させて前記サンプルの第２偏移バージョンを作成するように構成された請求項１８に記載のサーボ回路（３２５）。
【請求項２０】
前記第３サーボ検出器システム（４０３）が、
前記サンプル（３３７）を受け取り、該サンプルを２ビットだけ遅延させて該サンプルの第２の偏移バージョン（５４４）を作成し、該第２の偏移バージョンを転送するように構成された遅延回路（５１９）と、
該遅延回路に結合され、前記第２偏移バージョンを受け取り、第４の比較を実行して複数の重み付き値（５４１）を作成し、かつ該複数の重み付き値を転送するように構成された整合フィルタシステム（５１３）と、
該整合フィルタシステムと前記第１比較器（４１６）とに結合され、前記複数の重み付き値を受け取り、該複数の重み付き値に基づいて前記複数のサーボコードのうちの第３のサーボコードを選択し、前記複数のサーボコードのうちの第３のサーボコードを選択された第３のコード（５３３）として表示し、かつ該選択された第３のコードを前記第１比較器に転送するように構成された第４比較器（５１６）と、
を含む請求項１８に記載のサーボ回路（３２５）。
【請求項２１】
磁気ディスク・ドライブ・システムと共に動作するように構成されたサーボ回路（３２５）の動作方法であって、
サーボデータを含むサンプルを受け取るステップと、
該サンプルと複数の第１サーボコードとの第１の比較を実行するステップと、
該第１の比較に基づいて前記複数の第１サーボコードのうちの１つを選択し、前記複数の第１サーボコードのうちの１つを選択された第１のコードとして表示するステップと、を含み、
該方法は、
前記サンプルと、前記第１サーボコードの第１偏移バージョンを含む複数の第２サーボコードとの第２の比較を実行するステップであって、該複数の第１偏移バージョンと該複数の第２サーボコードが誤り訂正グレーコード（ＥＣＧＣ）からなる該ステップと、
該第２の比較に基づいて複数の第２のサーボコードのうちの１つを選択し、複数の第２のサーボコードのうちの１つを選択された第２のコードとして表示するステップと、
選択されたコードの第３の比較を実行するステップと、
該第３の比較に基づいて選択されたコードの１つを選択し、該選択されたコードの１つはサーボデータを表すステップと、
を特徴とする方法。
【請求項２２】
前記第２のサーボコードは第１のサーボコードを１ビットだけ偏移させたサーボコードである請求項２１に記載の方法。
【請求項２３】
整合フィルタシステム（６１１）を用いて第１の比較を実行して、複数の重み付き値（６３９）を作成するステップと、
該複数の重み付き値に基づいて複数の第１のサーボコードのうちの１つを選択するステップと、
をさらに含む請求項２１に記載の方法。
【請求項２４】
整合フィルタシステム（６１２）を用いて第２の比較を実行して、複数の重み付き値を作成するステップと、
該複数の重み付き値に基づいて複数の第２のサーボコードのうちの１つを選択するステップと、
をさらに含む請求項２１に記載の方法。
【請求項２５】
前記第３の比較ステップは前記選択されたコードに関連する重み付き値を比較するステップからなる請求項２１に記載の方法。
【請求項２６】
前記第１の比較と前記第２の比較を実行する前に一対のサンプルを追加するステップをさらに含む請求項２１に記載の方法。
【請求項２７】
前記サンプルと、前記第１のサーボサードの第２偏移バージョンである前記複数の第３サーボコードとの第４の比較を実行するステップと、
該第４の比較に基づいて複数の第３サーボコードのうちの１つを選択し、複数の第３のサーボコードのうちの１つを選択された第３のコードとして表示するステップと、
をさらに含む請求項２１に記載の方法。
【請求項２８】
整合フィルタシステム（６１３）を用いて第４の比較を実行して、複数の重み付き値（６４１）を作成するステップと、
該複数の重み付き値に基づいて複数の第３サーボコードのうちの１つを選択するステップと、
をさらに含む請求項２７に記載の方法。
【請求項２９】
磁気ディスク・ドライブ・システムと共に動作するように構成されたサーボ回路（３２５）であって、
サーボデータを含むサンプル（３３７）を受け取り、サンプルと複数の第１サーボコードとの第１の比較を実行し、該第１の比較に基づいて複数の第１サーボコードのうちの１つを選択し、該複数の第１サーボコードのうちの１つを選択された第１のコードとして表示し、選択された第１のコードを転送するように構成された第１サーボ検出器システム（４０１）を含み、
該サーボ回路は、
前記サンプルを受け取り、前記サンプルと複数の第２のサーボコードとの第２の比較を実行し、該第２のサーボコードが前記第１のサーボコードの偏移バージョンであり、該複数の第１のサーボコードおよび複数の第２のサーボコードが誤り訂正グレーコード（ＥＣＧＣ）であり、該第２の比較に基づいて複数の第２サーボコードのうちの１つを選択し、該複数の第２サーボコードのうちの１つを選択された第２のコードとして表示し、選択された第２のコードを転送するように構成された第２サーボ検出器システム（４０２）と、
前記第１サーボ検出器システムと前記第２サーボ検出器システムとに結合され、かつ前記選択された第１のコードおよび前記選択された第２のコードを受け取り、選択されたコードの第３の比較を実行し、該第３の比較に基づいて選択されたコードのうちサーボデータを表す１つ（３５９）を選択するように構成された第１比較器（４１６）と、を特徴とするサーボ回路。
【請求項３０】
前記第２サーボコードは前記第１サーボコードを１ビットだけ偏移させたサーボコードである請求項２９に記載のサーボ回路（３２５）。
【請求項３１】
前記第１サーボ検出器システム（４０１）が、
前記サンプル（３３７）を受け取り、第１の比較を実行して複数の重み付き値（６３９）を作成し、かつ該複数の重み付き値を転送するように構成された整合フィルタシステム（６１１）と、
該整合フィルタシステムと前記第１比較器（４１６）とに結合され、前記複数の重み付き値を受け取り、該複数の重み付き値に基づいて前記複数の第１サーボコードのうちの１つを選択し、該複数の第１サーボコードの１つを選択された第１のコード（６３１）として表示し、かつ該選択された第１のコードを前記第１比較器に転送するように構成された第２比較器（６１４）と、
を含む請求項２９に記載のサーボ回路（３２５）。
【請求項３２】
前記第２サーボ検出器システム（４０２）が、
前記サンプル（３３７）を受け取り、前記第２の比較を実行して複数の重み付き値（６４０）を作成し、かつ該複数の重み付き値を転送するように構成された整合フィルタシステム（６１２）と、
該整合フィルタシステムと前記第１比較器（４１６）とに結合され、前記複数の重み付き値を受け取り、該複数の重み付き値に基づいて複数の第２サーボコードのうちの１つを選択し、該複数の第２サーボコードの１つを前記選択された第２のコード（６３２）として表示し、該選択された第２のコードを前記第１比較器に転送するように構成された第３比較器（６１５）と、を含む請求項２９に記載のサーボ回路（３２５）。
【請求項３３】
前記第１比較器（４１６）はさらに、前記選択されたコード（６３１〜６３２）に関連する重み付き値（６３４〜６３５）を比較することによって第３の比較を実行するように構成された請求項２９に記載のサーボ回路（３２５）。
【請求項３４】
前記第１サーボ検出器システム（４０１）と前記第２サーボ検出器システム（４０２）とに結合され、一対のサンプル（３３７）を追加して追加サンプル（７３５）を作成し、該追加サンプルを前記第１サーボ検出器システムと前記第２サーボ検出器システムとに転送するように構成された追加システム（７０７）をさらに含む請求項２９に記載のサーボ回路（３２５）。
【請求項３５】
前記第１比較器（４１６）に結合され、前記サンプル（３３７）を受け取り、該サンプルと前記複数の第３サーボコードとの第４の比較を実行し、該第４の比較に基づいて前記複数の第３サーボコードのうちの１つを選択し、前記複数の第３サーボコードのうちの１つを選択された第３のコードとして表示し、前記選択された第３のコードを転送するように構成された第３サーボ検出器システム（４０３）をさらに含む請求項２９に記載のサーボ回路（３２５）。
【請求項３６】
前記第３サーボ検出器システム（４０３）が、
前記サンプル（３３７）を受け取り、第４の比較を実行して複数の重み付き値（６４１）を作成し、かつ該複数の重み付き値を転送するように構成された整合フィルタシステム（６１３）と、
該整合フィルタシステムと前記第１比較器（４１６）とに結合され、前記複数の重み付き値を受け取り、該複数の重み付き値に基づいて前記複数の第３サーボコードのうちの１つを選択し、前記複数の第３サーボコードのうちの１つを選択された第３のコード（６３３）として表示し、かつ該選択された第３のコードを前記第１比較器に転送するように構成された第４比較器（６１６）と、
を含む請求項３５に記載のサーボ回路（３２５）。